(57)【要約】【課題】モアレ現象を軽減し、更に高い表示品質を有する表示装置を提供する。【解決手段】本発明の表示装置は、第１表示パネル及び第２表示パネルを含む。第１表示パネルは、第１画素アレイ、第１カラーフィルタアレイ、第１遮光パターン及びダミー遮光パターンを含む。第１カラーフィルタアレイは、第１画素アレイに対応して配置される。第１遮光パターンは、第１カラーフィルタアレイに対応して配置される。ダミー遮光パターンは、第１遮光パターンに対応して配置され、斜辺を有する。斜辺と第１遮光パターンとの間に０度、９０度または１８０度を除く角度を有する。第２表示パネルは、第１表示パネルと所定距離をおいて重なって配置される。第２表示パネルは、第２画素アレイ、第２カラーフィルタアレイ及び第２遮光パターンを含む。第２カラーフィルタアレイは、第２画素アレイに対応して配置される。第２遮光パターンは、第２カラーフィルタアレイに対応して配置される。【選択図】図１
2015011339.tif 000002
【特許請求の範囲】
【請求項１】
第１表示パネルと、第２表示パネルと、を含む表示装置であって、
前記第１表示パネルは、
第１画素アレイと、
前記第１画素アレイに対応して配置された第１カラーフィルタアレイと、
前記第１カラーフィルタアレイに対応して配置された第１遮光パターンと、
前記第１遮光パターンに対応して配置された第１ダミー遮光パターンと、を含み、
前記第１ダミー遮光パターンは、第１斜辺を有し、前記第１斜辺と前記第１遮光パターンとの間に０度、９０度または１８０度を除く第１角度を有し、
前記第２表示パネルは、
前記第１表示パネルとの間に所定距離をおいて前記第１表示パネルと重なって配置されており、
第２画素アレイと、
前記第２画素アレイに対応して配置された第２カラーフィルタアレイと、
前記第２カラーフィルタアレイに対応して配置された第２遮光パターンと、を含む表示装置。
【請求項２】
前記第１表示パネルは、自発光表示パネルまたはバックライトモジュールを有する表示パネルであり、
前記第２表示パネルは、透過型表示パネルであり、
前記表示装置は、開口を有する筐体と、前記筐体内に配置されて前記第２表示パネルに必要な光源を提供するための光源と、を更に含み、
前記第２表示パネルは、前記開口に取り付けられ、
前記第１表示パネルは、前記筐体内に取り付けられ、前記第２表示パネルの背面に位置する請求項１に記載の表示装置。
【請求項３】
前記第１表示パネルは、透過型表示パネルであり、
前記第２表示パネルは、自発光表示パネル、または、バックライトモジュールを有する表示パネルであり、
前記表示装置は、開口を有する筐体と、前記筐体内に配置されて前記第１表示パネルに必要な光源を提供するための光源と、を更に含み、
前記第１表示パネルは、前記開口に取り付けられ、
前記第２表示パネルは、前記筐体内に取り付けられ、前記第１表示パネルの背面に位置する請求項１に記載の表示装置。
【請求項４】
前記第１ダミー遮光パターンの材質は、前記第１遮光パターンの材質と同じである請求項１に記載の表示装置。
【請求項５】
前記第１ダミー遮光パターンの膜層は、前記第１遮光パターンの膜層と同層である請求項１に記載の表示装置。
【請求項６】
前記表示装置は、第２ダミー遮光パターンを更に含み、
前記第２ダミー遮光パターンは、前記第２遮光パターンに対応して配置され、第２斜辺を有しており、前記第２斜辺との間に０度、９０度または１８０度を除く第２角度を有する請求項１に記載の表示装置。
【請求項７】
前記第２ダミー遮光パターンの材質は、前記第２遮光パターンの材質と同じである請求項６に記載の表示装置。
【請求項８】
前記第２ダミー遮光パターンの膜層は、前記第２遮光パターンの膜層と同層である請求項６に記載の表示装置。
【請求項９】
前記第２画素アレイの画素数は、前記第１画素アレイの画素数と一致しており、
前記第２遮光パターンにより定義されたセル領域の数は、前記第１遮光パターンにより定義されたセル領域の数と一致している請求項１に記載の表示装置。
【請求項１０】
第１表示パネルと、第２表示パネルと、を含む表示装置であって、
前記第１表示パネルは、
第１画素アレイと、
前記第１画素アレイに対応して配置された第１カラーフィルタアレイと、
前記第１カラーフィルタアレイに対応して配置された第１遮光パターンと、を含み、
前記第２表示パネルは、
前記第１表示パネルとの間に所定距離をおいて前記第１表示パネルに対応して配置されており、
第２画素アレイと、
前記第２画素アレイに対応して配置された第２カラーフィルタアレイと、
前記第２カラーフィルタアレイに対応して配置された第２遮光パターンと、
前記第２遮光パターンにより定義された各セル領域を更に複数のサブセル領域に区切るように、前記第２遮光パターン中に位置するダミー遮光パターンと、を含む表示装置。
【請求項１１】
前記第１表示パネルは、自発光表示パネル、または、バックライトモジュールを有する表示パネルであり、
前記第２表示パネルは、透過型表示パネルであり、
前記表示装置は、開口を有する筐体と、前記筐体内に配置されて前記第２表示パネルに必要な光源を提供するための光源と、を更に含み、
前記第２表示パネルは、前記開口に取り付けられ、
前記第１表示パネルは、前記筐体内に取り付けられ、前記第２表示パネルの背面に位置する請求項１０に記載の表示装置。
【請求項１２】
前記第１表示パネルは、透過型表示パネルであり、
前記第２表示パネルは、自発光表示パネル、または、バックライトモジュールを有する表示パネルであり、
前記表示装置は、開口を有する筐体と、前記筐体内に配置されて前記第１表示パネルに必要な光源を提供するための光源と、を更に含み、
前記第１表示パネルは、前記開口に取り付けられ、
前記第２表示パネルは、前記筐体内に取り付けられ、前記第１表示パネルの背面に位置する請求項１０に記載の表示装置。
【請求項１３】
前記第１画素アレイ及び前記第２画素アレイは、それぞれ、複数の走査線、複数のデータ線及び複数の画素セルを含み、且つ、前記ダミー遮光パターンの各セル領域における延伸方向が、前記複数の走査線と平行である請求項１０に記載の表示装置。
【請求項１４】
前記第１画素アレイ及び前記第２画素アレイは、それぞれ、複数の走査線、複数のデータ線及び複数の画素セルを含み、且つ、前記ダミー遮光パターンの各セル領域における延伸方向が、前記複数のデータ線と平行である請求項１０に記載の表示装置。
【請求項１５】
前記第１画素アレイ及び前記第２画素アレイは、それぞれ、複数の走査線、複数のデータ線及び複数の画素セルを含み、且つ、前記ダミー遮光パターンの各セル領域における延伸方向が、前記複数のデータ線と平行であるとともに前記複数の走査線と平行である請求項１０に記載の表示装置。
【請求項１６】
前記ダミー遮光パターンと前記第２遮光パターンとの間に０度、９０度または１８０度を除く角度を有する請求項１０に記載の表示装置。
【請求項１７】
前記ダミー遮光パターンの材質は、前記第２遮光パターンの材質と同じである請求項１０に記載の表示装置。
【請求項１８】
前記ダミー遮光パターンの膜層は、前記第２遮光パターンの膜層と同層である請求項１０に記載の表示装置。
【請求項１９】
前記第２画素アレイの画素数は、前記第１画素アレイの画素数と一致しており、
前記第２遮光パターンにより定義されたセル領域の数は、前記第１遮光パターンにより定義されたセル領域の数と一致している請求項１０に記載の表示装置。
【発明の詳細な説明】
【技術分野】
【０００１】
本発明は、表示装置に関し、特に、２つの表示パネルを有する表示装置に関する。
【背景技術】
【０００２】
表示パネルは、急速な技術の発展に伴い、今日の社会において普及しており、タブレット、スマートフォン、液晶テレビなど、様々な製品に幅広く応用されている。
【０００３】
表示パネルには光源の利用形態によって、反射型表示パネル（半透過型表示パネルを含む）及び透過型表示パネル（Ｔｒａｎｓｍｉｓｓｉｖｅ  Ｄｉｓｐｌａｙ）がある。透過型表示パネル自体は、一定程度の透過性を有しているため、表示パネルの後方にある背景がはっきりと表示されることができる。これにより、透過型表示パネルの後ろに他の表示パネルを配置することによって、観察者は、異なる画像が重なっている画面を見ることができる。
【先行技術文献】
【特許文献】
【０００４】
【特許文献１】米国特許第８０５３９６３号明細書
【特許文献２】特開平９−２５８２６８号公報
【発明の概要】
【発明が解決しようとする課題】
【０００５】
しかしながら、表示パネルには同じ周期性パターンを有する複数の部材を含むため、２つのパネルが重なると、使用者は、一定間隔の明暗縞を見やすくなり、いわゆるモアレ（Ｍｏｉｒｅ）現象が発生する。こうすると、表示パネルが提供する表示品質に大きな影響を与える。
【０００６】
本発明は、モアレ現象を軽減し、更に高い表示品質を有する表示装置を提供する。
【課題を解決するための手段】
【０００７】
本発明の表示装置は、第１表示パネルと第２表示パネルとを含む。第１表示パネルは、第１画素アレイと、第１カラーフィルタアレイと、第１遮光パターンと、第１ダミー遮光パターンとを含んでいる。第１カラーフィルタアレイは、第１画素アレイに対応して配置されている。第１遮光パターンは、第１カラーフィルタアレイに対応して配置されている。第１ダミー遮光パターンは、第１遮光パターンに対応して配置されている。第１ダミー遮光パターンは第１斜辺を有している。第１斜辺と第１遮光パターンとの間に０度、９０度または１８０度を除く第１角度を有している。第２表示パネルは、第１表示パネルとの間に所定距離をおいて第１表示パネルと重なって配置されている。第２表示パネルは、第２画素アレイと、第２カラーフィルタアレイと、第２遮光パターンとを含んでいる。第２カラーフィルタアレイは、第２画素アレイに対応して配置されている。第２遮光パターンは、第２カラーフィルタアレイに対応して配置されている。
【０００８】
本発明のもう１つの表示装置は、第１表示パネルと第２表示パネルとを含んでいる。第１表示パネルは、第１画素アレイと、第１カラーフィルタアレイと、第１遮光パターンとを含んでいる。第１カラーフィルタアレイは、第１画素アレイに対応して配置されている。第１遮光パターンは、第１カラーフィルタアレイに対応して配置されている。第２表示パネルは、第１表示パネルとの間に所定距離をおいて第１表示パネルに対応して配置されている。第２表示パネルは、第２画素アレイと、第２カラーフィルタアレイと、第２遮光パターンと、ダミー遮光パターンとを含んでいる。第２カラーフィルタアレイは、第２画素アレイに対応して配置されている。第２遮光パターンは、第２カラーフィルタアレイに対応して配置されている。ダミー遮光パターンは、第２遮光パターンにより定義された各セル領域を更に複数のサブセル領域に区切るように、第２遮光パターン中に位置している。
【発明の効果】
【０００９】
上述により、本発明の実施例における表示装置において、フィルタ層中にダミー遮光パターンを配置することによって、他の部材と一致しない周期性パターンが得られることで、モアレ現象が軽減するため、更に高い表示品質を提供することが可能となり、使用者の視覚的不快感を和らげることができる。
【００１０】
本発明の上述した特徴及び利点がより一層明確に理解されるよう、以下に実施形態を例示し、添付図面を参照しながら、詳細に説明する。
【図面の簡単な説明】
【００１１】
【図１】本発明の一実施例による表示装置の概略断面図である。
【図２】本発明の一実施例による画素アレイの概略平面図である。
【図３】本発明の一実施例によるフィルタ層の概略平面図である。
【図４】本発明の一実施例によるフィルタ層の概略平面図である。
【図５】本発明の一実施例によるフィルタ層の概略平面図である。
【図６】本発明の一実施例によるフィルタ層の概略平面図である。
【図７】本発明の一実施例によるフィルタ層の概略平面図である。
【図８】本発明の一実施例によるフィルタ層の概略平面図である。
【発明を実施するための形態】
【００１２】
以下、ダミー遮光パターンが配置されることにより、周期性パターンに起因するモアレ現象を軽減する表示装置の実施例をいくつか例示する。以下開示する複数の実施例は説明用に過ぎず、本発明を限定するためのものではないことに注意されたい。
【００１３】
＜第１実施例＞
図１は、本発明の一実施例による表示装置の概略断面図である。
【００１４】
図１を参照して、第１実施例の表示装置は、図１に示す表示装置１０００を用いて実現される。表示装置１０００は、透過型表示パネル１００及び表示パネル２００を含んでいる。本実施例において、表示装置１０００は、バックライトモジュール３００、筐体４００及び光源４０２を更に含んでいる。ここで、表示装置１０００は、例えば、遊技機または販売機などの機械における表示装置であってもよい。図１は説明用に過ぎず、本発明を限定するためのものではなく、且つ、各部材の細部構成が詳しく図示されていないことに注意されたい。また、本発明の表示装置１０００は、図１に示すものに限らない。本発明の表示装置１０００は、２つより多い表示パネルを含んでもよい。例えば、本発明の表示装置は、１つの大きいサイズの透過型表示パネル（例えば２７インチ）、及び２つの小さいサイズの表示パネル（例えば４．３インチ及び１５インチ）を含んでもよい。別の観点から言えば、本発明の表示装置１０００が含む透過型表示パネル及び表示パネルのサイズは異なっていてもよい。
【００１５】
第１実施例において、筐体４００は、開口４０１を含んでいる。透過型表示パネル１００は、筐体４００の開口４０１に取り付けられている。表示パネル２００は、筐体４００内に取り付けられ、透過型表示パネル１００の背面に位置している。詳細には、透過型表示パネル１００と表示パネル２００との間に距離Ｄをおいて、且つ透過型表示パネル１００は、表示パネル２００と重なって配置されている。こうすると、表示装置１０００は、透過型表示パネル１００及び表示パネル２００に表示する画像を重ねた画面を使用者に提供することができる。
【００１６】
第１実施例において、光源４０２は、筐体４００内に配置され、透過型表示パネル１００に必要な光源を提供する。第１実施例において、光源４０２は、例えば、ＬＥＤ（ｌｉｇｈｔ  ｅｍｉｔｔｉｎｇ  ｄｉｏｄｅ）ランプ、冷陰極蛍光ランプ（ｃｏｌｄ  ｃａｔｈｏｄｅ  ｆｌｕｏｒｅｓｃｅｎｔ  ｌａｍｐ，ＣＣＦＬ）または他の適切な発光素子である。バックライトモジュール３００は、筐体４００内に配置されるとともに、表示パネル２００に必要な光源を提供するように表示パネル２００の背面に位置している。しかし、本発明はこれに限定されない。他の実施例において、バックライトモジュール３００は、透過型表示パネル１００に必要な光源を提供するものであってもよい。言い換えれば、本発明の表示装置には、光源４０２を配置しなくてもよい。バックライトモジュールの詳細な構成は、当業者によく知られているため、説明を省略する。
【００１７】
このようにすれば、第１実施例において、透過型表示パネル１００も表示パネル２００も非自発光表示パネルであり、例えば液晶表示パネルである。しかし、本発明はこれに限定されない。他の実施例において、透過型表示パネル１００及び表示パネル２００が自発光表示パネルであってもよい、例えば、有機発光表示パネルである。言い換えれば、表示装置１０００は、バックライトモジュール３００及び光源４０２のいずれか一方または両方を有しなくてもよい。
【００１８】
第１実施例において、透過型表示パネル１００は、第１基板１０２、画素アレイ１０４、表示媒体１０６、フィルタ層１０８、及び第２基板１１０を含んでいる。第１基板１０２と第２基板１１０とは、互いに対向している。第１基板１０２及び第２基板１１０は、例えば、ガラス基板、プラスチック基板、可撓基板または他の適切な基板である。表示媒体１０６は、第１基板１０２と第２基板１１０との間に配置されている。画素アレイ１０４は、第１基板１０２上に配置され、且つ第１基板１０２と表示媒体１０６との間に位置している。フィルタ層１０８は、第２基板１１０上に配置され、且つ第２基板１１０と表示媒体１０６との間に位置している。
【００１９】
第１実施例において、透過型表示パネル１００は、例えば液晶表示パネルである。こうすると、表示媒体１０６は、例えば液晶材料である。しかし、本発明はこれに限定されない。上述のように、他の実施例において、透過型表示パネル１００は、有機発光表示パネルであり、表示媒体１０６は、有機発光ダイオード材料であってもよい。表示材料の詳細については、当業者によく知られているため、説明を省略する。
【００２０】
第１実施例における画素アレイ１０４の細部構成は、図２に示す画素アレイの構成によって実現される。図２は、本発明の一実施例による画素アレイの概略平面図である。図２に示す画素アレイは、複数の走査線１２０、複数のデータ線１３０、及び複数の画素セル１４０を含んでいる。
【００２１】
以下、図１及び図２に示すように、走査線１２０は、第１基板１０２上に配置され、且つＸ方向に沿って延びている。データ線１３０は、第１基板１０２上に配置され、且つＹ方向に沿って延びている。一般的には、各画素セル１４０は、能動素子１４２と、能動素子１４２に電気的に接続された画素電極１４４とを含み、且つ各画素セル１４０は、能動素子１４２を介して対応する走査線１２０及びデータ線１３０に電気的に接続されている。能動素子１４２は、例えば薄膜トランジスタである。また、画素セル１４０は、当業者にとって周知の任意の画素セルであればよいので、本発明の画素セル１４０が図２に示すものに限定されない。
【００２２】
第１実施例におけるフィルタ層１０８の細部構成は、図３に示すフィルタ層の構成によって実現される。図３は、本発明の一実施例によるフィルタ層の概略平面図である。図３のフィルタ層は、カラーフィルタアレイ１５０、遮光パターン１６０、及びダミー遮光パターン１７０を含んでいる。
【００２３】
以下、図１、図２及び図３に示すように、遮光パターン１６０は、第２基板１１０上に画素セル１４０に対応する複数のセル領域１６２を定義している。言い換えれば、遮光パターン１６０は、Ｙ方向に沿って配列された一部の遮光パターン１６４と、Ｘ方向に沿って配列された一部の遮光パターン１６６とを有し、空間において、一部の遮光パターン１６４は、走査線１２０と重なっており、一部の遮光パターン１６６は、データ線１３０と重なっている。しかし、当業者であれば、一部の遮光パターン１６４と走査線１２０は、完全にまたは部分的に重なっていてもよいし、一部の遮光パターン１６６とデータ線１３０も、完全にまたは部分的に重なっていてもよいことを理解されたい。遮光パターン１６０の材質は、例えば、黒色樹脂または遮光金属であり、且つ低反射材料で構成されることが好ましい。また、遮光パターン１６０は、カラーフィルタアレイ１５０に対応して配置されており、詳細な説明については後述する。
【００２４】
一般的には、走査線１２０とデータ線１３０の位置は、画素アレイ１０４における不透光領域である。そのため、遮光パターン１６０は、画像表示品質に悪影響を与えないように、一般的に走査線１２０とデータ線１３０に対応して配置されている。
【００２５】
カラーフィルタアレイ１５０は、画素アレイ１０４に対応して配置されている。一般的には、カラーフィルタアレイ１５０は、複数のカラーフィルタパターンを含んでもよく、例えば、赤フィルタパターンＲ、青フィルタパターンＢ、緑フィルタパターンＧ、他のフィルタパターン、または無色パターンＷを含んでもよい。詳細には、図２及び図３に示すように、カラーフィルタアレイ１５０の複数のカラーフィルタパターンのそれぞれは、画素セル１４０のうち１つに対応していることが分かる。つまり、遮光パターン１６０により定義された複数のセル領域１６２のそれぞれは、カラーフィルタアレイ１５０の複数のカラーフィルタパターンに対応している。また、当業者であれば、実際の設計と使用需要に応じてカラーフィルタアレイにおけるカラーフィルタパターンの配置を調整できることを理解されたい。そのため、本発明のカラーフィルタアレイ１５０は、図３に示すものに限定されない。
【００２６】
ダミー遮光パターン１７０は、遮光パターン１６０に対応して配置されている。詳細には、図３に示すように、ダミー遮光パターン１７０は、セル領域１６２における４つの隅に対応して配置された三角形パターンである。また、ダミー遮光パターン１７０は、斜辺１７２を有し、且つこの斜辺１７２と遮光パターン１６０との間に角度θ１を有しており、角度θ１は、０度、９０度または１８０度に等しくないようにしている。詳細には、図３に示すように、角度θ１は、斜辺１７２と一部の遮光パターン１６４との間に形成された鋭角である。しかし、本発明はこれに限定されない。例えば、角度θ１は、斜辺１７２と一部の遮光パターン１６６との間に形成された任意の角度（未図示）であってもよい。別の観点から言えば、斜辺１７２の延伸方向は、Ｘ方向またはＹ方向に対して角度θ１を形成することができる。また、図３には角度θ１が４５度に等しい場合の構成を示しているが、本発明はこれに限定されない。ダミー遮光パターン１７０の斜辺１７２と遮光パターン１６０との間の角度が０度、９０度または１８０度に等しくない構成であれば、本発明の範囲内に含まれる。
【００２７】
また、ダミー遮光パターン１７０の膜層は、遮光パターン１６０の膜層と同層であり、且つ、ダミー遮光パターン１７０の材質は、遮光パターン１６０の材質と同じである。言い換えれば、第１実施例において、同一のリソグラフィ及びエッチング工程によって、同時にフィルタ層１０８における遮光パターン１６０及びダミー遮光パターン１７０を形成することができる。遮光パターン１６０は、表示不良の領域を遮蔽することができ、ダミー遮光パターン１７０は、周期性パターンに起因するモアレ現象を軽減することができる。
【００２８】
図１に示すように、第１実施例において、表示パネル２００は、第１基板２０２、画素アレイ２０４、表示媒体２０６、フィルタ層２０８、及び第２基板２１０を含んでいる。第１基板２０２と第２基板２１０とが互いに対向している。第１基板２０２及び第２基板２１０は、例えばガラス基板、プラスチック基板、可撓基板または他の適切な基板である。表示媒体２０６は、第１基板２０２と第２基板２１０との間に配置されている。画素アレイ２０４は、第１基板２０２上に配置され、且つ第１基板２０２と表示媒体２０６との間に位置している。フィルタ層２０８は、第２基板２１０上に配置され、且つ第２基板２１０と表示媒体２０６との間に位置している。
【００２９】
第１実施例において、表示パネル２００は、例えば液晶表示パネルである。このようにした場合、表示媒体２０６は、例えば液晶材料である。しかし、本発明はこれに限定されない。上述のように、他の実施例において、表示パネル２００は、有機発光表示パネルであり、表示媒体２０６は、有機発光ダイオード材料であってもよい。表示材料の詳細については、当業者によく知られているため、説明を省略する。
【００３０】
第１実施例における画素アレイ２０４の細部構成は、画素アレイ１０４に類似した構成によって実現される。言い換えれば、画素アレイ２０４は、図２に示す画素アレイの構成によって実現されてもよい。このようにすれば、第１実施例において、画素アレイ２０４及び画素アレイ１０４の画素セルの数が一致するため、画素アレイ２０４及び画素アレイ１０４は、同じ周期性パターンを有することが可能である。しかし、本発明はこれに限定されない。他の実施例において、画素アレイ２０４と画素アレイ１０４の画素セルの数と大きさが一致しなくてもよいため、画素アレイ２０４と画素アレイ１０４は、異なる周期性パターンを有することが可能である。例えば、画素アレイ１０４は、図２に示す画素アレイの構成を用いて実現される場合には、画素アレイ２０４は、通常のＲＧＢ配列方法を用いて実現されてもよい。また、画素アレイ２０４の細部構成の説明については、図２及びその関連内容を参照すれば理解できるため、ここでの説明を省略する。
【００３１】
第１実施例において、フィルタ層２０８の細部構成は、図４に示すフィルタ層の構成によって実現される。図４は、本発明の一実施例によるフィルタ層の概略平面図である。図４のフィルタ層は、カラーフィルタアレイ２５０と、遮光パターン２６０とを含んでいる。
【００３２】
以下、図１、図２及び図４に示すように、遮光パターン２６０は、第２基板２１０上に画素セル１４０に対応する複数のセル領域２６２を定義している。言い換えれば、遮光パターン２６０により定義されたセル領域２６２の数と、遮光パターン１６０により定義されたセル領域１６２の数とが一致している。しかし、本発明はこれに限定されない。上述のように、画素アレイ２０４と画素アレイ１０４の画素セルの数とが一致しない場合には、遮光パターン２６０により定義されたセル領域２６２の数と、遮光パターン１６０により定義されたセル領域１６２の数とが一致していない。
【００３３】
さらに、遮光パターン２６０は、一部の遮光パターン１６４に対応して同様にＹ方向に沿って配列された一部の遮光パターン２６４と、一部の遮光パターン１６６に対応して同様にＸ方向に沿って配列された一部の遮光パターン２６６とを有している。空間において、一部の遮光パターン２６４は、走査線１２０と完全にまたは部分的に重なっていてもよく、一部の遮光パターン２６６は、データ線１３０と完全にまたは部分的に重なっていてもよい。このようにすれば、画素アレイ２０４、画素アレイ１０４、遮光パターン１６０及び遮光パターン２６０は、同じ周期性パターンを有することが可能である。遮光パターン２６０の材質は、例えば、黒色樹脂または遮光金属であり、且つ低反射材料で構成されることが好ましい。また、遮光パターン２６０は、カラーフィルタアレイ２５０に対応して配置されており、詳細な説明については後述する。
【００３４】
一般的には、走査線１２０とデータ線１３０の位置は、画素アレイ２０４における不透光領域にある。そのため、遮光パターン２６０は、画像表示品質に悪影響を与えないように、一般的に走査線１２０とデータ線１３０に対応して配置されている。
【００３５】
カラーフィルタアレイ２５０は、画素アレイ２０４に対応して配置されている。一般的には、カラーフィルタアレイ２５０は、複数のカラーフィルタパターンを含んでもよく、例えば、赤フィルタパターンＲ、青フィルタパターンＢ、緑フィルタパターンＧ、他のフィルタパターン、または無色パターンＷを含んでもよい。詳細には、図２及び図４に示すように、カラーフィルタアレイ２５０の複数のカラーフィルタパターンのそれぞれは、画素セル１４０のうち１つに対応している。つまり、遮光パターン２６０により定義された複数のセル領域２６２のそれぞれは、カラーフィルタアレイ２５０の複数のカラーフィルタパターンに対応している。また、当業者であれば、実際の設計と使用需要に応じてカラーフィルタアレイにおけるカラーフィルタパターンの配置を調整できることを理解されたい。そのため、本発明のカラーフィルタアレイ２５０は、図４に示すものに限定されない。
【００３６】
上述のように、追加のマスクを使用する必要がない場合には、本発明の第１実施例は、フィルタ層１０８中に配置されたダミー遮光パターン１７０によって、フィルタ層１０８における遮光パターン１６０及びフィルタ層２０８における遮光パターン２６０によって生じたモアレ現象を軽減することができるため、更に高い表示品質を提供することが可能となり、使用者の視覚的不快感を和らげることができる。
【００３７】
上述した第１実施例は、透過型表示パネル１００中のフィルタ層１０８にダミー遮光パターン１７０を設置することによって、モアレ現象を軽減する目的を達成するものであるが、本発明はこれに限定されない。他の実施例によれば、透過型表示パネル１００におけるフィルタ層１０８及び表示パネル２００におけるフィルタ層２０８は、以下の説明のように、互いに第１実施例と異なる組み合わせ方法を用いてレイアウトされてもよい。
【００３８】
＜第２実施例＞
第２実施例の表示装置は、図１に示す表示装置１０００を用いて実現される。第２実施例の表示装置は、第１実施例の表示装置とほぼ同じである。主に異なる点としては、第１実施例においては、透過型表示パネル１００のフィルタ層１０８の細部構成が図３に示すフィルタ層の構成を用いるとともに、表示パネル２００のフィルタ層２０８の細部構成が図４に示すフィルタ層の構成を用いて実現したが、第２実施例においては、透過型表示パネル１００のフィルタ層１０８の細部構成が図４に示すフィルタ層の構成を用いるとともに、表示パネル２００のフィルタ層２０８の細部構成が図３に示すフィルタ層の構成を用いて実現したことである。図１における表示装置１０００の各部材の材料、効果及びその関連説明と、図３，図４における画素アレイの各部材の材料、効果及びその関連説明について、上述の第１実施例において詳しく説明したので、ここでの説明を省略する。
【００３９】
このようにすれば、第２実施例において、表示パネル２００のフィルタ層２０８中にダミー遮光パターン１７０を配置することによって、フィルタ層２０８における遮光パターン１６０とフィルタ層１０８における遮光パターン２６０に起因するモアレ現象を軽減することができるため、更に高い表示品質を提供することが可能となり、使用者の視覚的不快感を和らげることができる。
【００４０】
＜第３実施例＞
第３実施例の表示装置は、図１に示す表示装置１０００を用いて実現される。第３実施例の表示装置は、第１実施例の表示装置とほぼ同じである。主に異なる点としては、第１実施例においては、透過型表示パネル１００のフィルタ層１０８の細部構成が図３に示すフィルタ層の構成を用いるとともに、表示パネル２００のフィルタ層２０８の細部構成が図４に示すフィルタ層の構成を用いて実現したが、第３実施例においては、透過型表示パネル１００のフィルタ層１０８の細部構成が図３に示すフィルタ層の構成を用いるとともに、表示パネル２００のフィルタ層２０８の細部構成も図３に示すフィルタ層の構成を用いて実現したことである。詳細には、図３のフィルタ層によってフィルタ層１０８とフィルタ層２０８が実現される場合、即ち、フィルタ層１０８とフィルタ層２０８においてダミー遮光パターン１７０が配置された場合には、フィルタ層１０８とフィルタ層２０８の構成が互いに異なる必要がある。例えば、フィルタ層１０８とフィルタ層２０８におけるダミー遮光パターン１７０の斜辺と、遮光パターン１６０との間の角度θ１が互いに異なり、且つ、角度θ１が０度，９０度または１８０度に等しくないようにしている。図１に示す表示装置１０００の各部材の材料、効果及びその関連説明と、図３における画素アレイの各部材の材料、効果及びその関連説明については、上述の第１実施例において詳しく説明したので、ここでの説明を省略する。
【００４１】
このようにすれば、第３実施例において、フィルタ層１０８とフィルタ層２０８中にダミー遮光パターン１７０を配置するとともに、且つダミー遮光パターン１７０の構成が互いに異なることによって、フィルタ層１０８とフィルタ層２０８における遮光パターン１６０にに起因するモアレ現象を軽減することができるため、更に高い表示品質を提供することが可能となり、使用者の視覚的不快感を和らげることができる。
【００４２】
上述した第１実施例乃至第３実施例は、フィルタ層１０８及びフィルタ層２０８のいずれか一方または両方にダミー遮光パターン１７０が配置されることによって、モアレ現象を軽減する目的を達成するものであるが、本発明はこれに限定されない。他の実施例によれば、透過型表示パネル１００におけるフィルタ層１０８及び表示パネル２００におけるフィルタ層２０８は、以下の説明のように、他の異なる構成設計及びレイアウトを有することも可能である。
【００４３】
＜第４実施例＞
第４実施例の表示装置は、図１に示す表示装置１０００を用いて実現される。第４実施例の表示装置は、第１実施例の表示装置とほぼ同じである。主に異なる点としては、第１実施例においては、透過型表示パネル１００のフィルタ層１０８の細部構成が図３に示すフィルタ層の構成を用いるとともに、表示パネル２００のフィルタ層２０８の細部構成が図４に示すフィルタ層の構成を用いて実現したが、第４実施例においては、透過型表示パネル１００のフィルタ層１０８の細部構成が図５に示すフィルタ層の構成を用いるとともに、表示パネル２００のフィルタ層２０８の細部構成が図４に示すフィルタ層の構成を用いて実現したことである。図１における表示装置１０００の各部材の材料、効果及びその関連説明と、図４における画素アレイの各部材の材料、効果及びその関連説明については、上述の第１実施例において詳しく説明したので、ここでの説明を省略する。
【００４４】
図５は、本発明の一実施例によるフィルタ層の概略平面図である。図５のフィルタ層は、カラーフィルタアレイ３５０、遮光パターン３６０及びダミー遮光パターン３７０を含んでいる。
【００４５】
図１、図２及び図５に示すように、遮光パターン３６０は、第２基板１１０上に画素セル１４０に対応する複数のセル領域３６２を定義している。つまり、第４実施例において、遮光パターン３６０により定義されたセル領域３６２の数と、図４における遮光パターン２６０により定義されたセル領域２６２の数とが一致している。
【００４６】
さらに、図４及び図５に示すように、遮光パターン３６０は、一部の遮光パターン２６４に対応して同様にＹ方向に沿って配列された一部の遮光パターン３６４と、一部の遮光パターン２６６に対応して同様にＸ方向に沿って配列された一部の遮光パターン３６６とを有している。空間において、一部の遮光パターン３６４は、走査線１２０と完全にまたは部分的に重なっていてもよく、一部の遮光パターン３６６は、データ線１３０と完全にまたは部分的に重なっていてもよい。このようにすれば、画素アレイ２０４、画素アレイ１０４、遮光パターン３６０及び遮光パターン２６０は、同じ周期性パターンを有することが可能である。遮光パターン３６０の材質は、例えば、黒色樹脂または遮光金属であり、且つ低反射材料で構成されることが好ましい。また、遮光パターン３６０は、カラーフィルタアレイ３５０に対応して配置されており、詳細な説明については後述する。
【００４７】
一般的には、走査線１２０とデータ線１３０の位置は、画素アレイ１０４における不透光領域にある。そのため、遮光パターン３６０は、画像表示品質に悪影響を与えないように、一般的に走査線１２０とデータ線１３０に対応して配置されている。
【００４８】
カラーフィルタアレイ３５０は、画素アレイ１０４に対応して配置されている。一般的には、カラーフィルタアレイ３５０は、複数のカラーフィルタパターンを含んでもよく、例えば、赤フィルタパターンＲ、青フィルタパターンＢ、緑フィルタパターンＧ、他のフィルタパターン、または無色パターンＷを含んでもよい。詳細には、図２及び図５に示すように、カラーフィルタアレイ３５０の複数のカラーフィルタパターンのそれぞれは、画素セル１４０のうち１つに対応している。つまり、遮光パターン３６０により定義された複数のセル領域３６２のそれぞれは、カラーフィルタアレイ３５０の複数のカラーフィルタパターンに対応している。また、当業者であれば、実際の設計と使用需要に応じてカラーフィルタアレイにおけるカラーフィルタパターンの配置を調整できることを理解されたい。そのため、本発明のカラーフィルタアレイ３５０は、図５に示すものに限定されない。
【００４９】
ダミー遮光パターン３７０は、遮光パターン３６０により定義された各セル領域３６２を更に複数のサブセル領域３７２に区切るように、遮光パターン３６０中に位置している。詳細には、図５に示すように、各セル領域３６２において、ダミー遮光パターン３７０は、セル領域３６２を３つのサブセル領域３７２に区切るストライプパターンである。つまり、第４実施例の透過型表示パネル１００において、画素アレイ１０４における１つの画素セル１４０は、１つのセル領域３６２に対応するとともに、３つのサブセル領域３７２に対応している。別の観点から見ると、遮光パターン３６０と遮光パターン２６０は同じ周期性パターンを有しているため、表示パネル２００における１つのセル領域２６２が透過型表示パネル１００における１つのセル領域３６２に対応するとともに、３つのサブセル領域３７２に対応している。図５に示すダミー遮光パターン３７０は、セル領域３６２を３つのサブセル領域３７２に区切っているが、本発明はこれに限定されない。ダミー遮光パターン３７０は、セル領域３６２を更に複数のサブセル領域３７２に区切ることができれば、本発明の範囲内に含まれる。
【００５０】
また、図５に示すように、各セル領域３６２において、ダミー遮光パターン３７０の延伸方向は、一部の遮光パターン３６６に平行している。言い換えれば、各セル領域３６２におけるダミー遮光パターン３７０の延伸方向がデータ線１３０に平行している。
【００５１】
また、ダミー遮光パターン３７０の膜層は、遮光パターン３６０の膜層と同層であり、且つ、ダミー遮光パターン３７０の材質は、遮光パターン３６０の材質と同じである。言い換えれば、第４実施例において、同一のリソグラフィ及びエッチング工程によって、同時に遮光パターン３６０及びダミー遮光パターン３７０を形成することができる。遮光パターン３６０は、表示不良の領域を遮蔽することができ、ダミー遮光パターン３７０は、周期性パターンに起因するモアレ現象を軽減することができる。
【００５２】
したがって、上述のように、追加のマスクを使用する必要がない場合には、本発明の第４実施例は、フィルタ層１０８中に配置されたダミー遮光パターン３７０によって、フィルタ層１０８における遮光パターン３６０及びフィルタ層２０８における遮光パターン２６０によって生じたモアレ現象を軽減することができるため、更に高い表示品質を提供することが可能となり、使用者の視覚的不快感を和らげることができる。
【００５３】
＜第５実施例＞
第５実施例の表示装置は、図１に示す表示装置１０００を用いて実現される。第５実施例の表示装置は、第４実施例の表示装置とほぼ同じである。主に異なる点としては、第４実施例においては、透過型表示パネル１００のフィルタ層１０８の細部構成が図５に示すフィルタ層の構成を用いるとともに、表示パネル２００のフィルタ層２０８の細部構成が図４に示すフィルタ層の構成を用いて実現したが、第５実施例においては、透過型表示パネル１００のフィルタ層１０８の細部構成が図４に示すフィルタ層の構成を用いるとともに、表示パネル２００のフィルタ層２０８の細部構成が図５に示すフィルタ層の構成を用いて実現したことである。図１に示す表示装置１０００の各部材の材料、効果及びその関連説明と、図４，図５に示す画素アレイの各部材の材料、効果及びその関連説明については、上述の第１，第４実施例において詳しく説明したので、ここでの説明を省略する。
【００５４】
このようにすれば、第５実施例において、表示パネル２００のフィルタ層２０８中にはダミー遮光パターン３７０が配置されているため、表示パネル２００の画素アレイ２０４中の１つの画素セル１４０は、１つのセル領域３６２に対応するとともに、３つのサブセル領域３７２に対応している。別の観点から見ると、遮光パターン３６０と遮光パターン２６０は同じ周期性パターンを有しているため、透過型表示パネル１００における１つのセル領域２６２が表示パネル２００における１つのセル領域３６２に対応するとともに、３つのサブセル領域３７２に対応している。
【００５５】
上述により、第５実施例において、フィルタ層２０８中にダミー遮光パターン３７０を配置することによって、フィルタ層２０８における遮光パターン３６０及びフィルタ層１０８における遮光パターン２６０に起因するモアレ現象を軽減することができるため、更に高い表示品質を提供することが可能となり、使用者の視覚的不快感を和らげることができる。
【００５６】
＜第６実施例＞
第６実施例の表示装置は、図１に示す表示装置１０００を用いて実現される。第６実施例の表示装置は、第１実施例の表示装置とほぼ同じである。主に異なる点としては、第１実施例においては、透過型表示パネル１００のフィルタ層１０８の細部構成が図３に示すフィルタ層の構成を用いるとともに、表示パネル２００のフィルタ層２０８の細部構成が図４に示すフィルタ層の構成を用いて実現したが、第６実施例においては、透過型表示パネル１００のフィルタ層１０８の細部構成が図６に示すフィルタ層の構成を用いるとともに、表示パネル２００のフィルタ層２０８の細部構成が図４に示すフィルタ層の構成を用いて実現したことである。図１における表示装置１０００の各部材の材料、効果及びその関連説明と、図４における画素アレイの各部材の材料、効果及びその関連説明については、上述の第１実施例において詳しく説明したので、ここでの説明を省略する。
【００５７】
図６は、本発明の一実施例によるフィルタ層の概略平面図である。図６のフィルタ層は、カラーフィルタアレイ４５０、遮光パターン４６０及びダミー遮光パターン４７０を含んでいる。
【００５８】
図１、図２及び図６に示すように、遮光パターン４６０は、第２基板１１０上に画素セル１４０に対応する複数のセル領域４６２を定義している。つまり、第６実施例において、遮光パターン４６０により定義されたセル領域４６２の数と、図４における遮光パターン２６０により定義されたセル領域２６２の数とが一致している。
【００５９】
さらに、図４及び図６に示すように、遮光パターン４６０は、一部の遮光パターン２６４に対応して同様にＹ方向に沿って配列された一部の遮光パターン４６４と、一部の遮光パターン２６６に対応して同様にＸ方向に沿って配列された一部の遮光パターン４６６とを有している。空間において、一部の遮光パターン４６４は、走査線１２０と完全にまたは部分的に重なっていてもよく、一部の遮光パターン４６６は、データ線１３０と完全にまたは部分的に重なっていてもよい。このようにすれば、画素アレイ２０４、画素アレイ１０４、遮光パターン４６０及び遮光パターン２６０は、同じ周期性パターンを有することが可能である。遮光パターン４６０の材質は、例えば、黒色樹脂または遮光金属であり、且つ低反射材料で構成されることが好ましい。また、遮光パターン４６０は、カラーフィルタアレイ４５０に対応して配置されており、詳細な説明については後述する。
【００６０】
一般的には、走査線１２０とデータ線１３０の位置は、画素アレイ１０４における不透光領域にある。そのため、遮光パターン４６０は、画像表示品質に悪影響を与えないように、一般的に走査線１２０とデータ線１３０に対応して配置されている。
【００６１】
カラーフィルタアレイ４５０は、画素アレイ１０４に対応して配置されている。一般的には、カラーフィルタアレイ４５０は、複数のカラーフィルタパターンを含んでもよく、例えば、赤フィルタパターンＲ、青フィルタパターンＢ、緑フィルタパターンＧ、他のフィルタパターン、または無色パターンＷを含んでもよい。詳細には、図２及び図６に示すように、カラーフィルタアレイ４５０の複数のカラーフィルタパターンのそれぞれは、画素セル１４０のうち１つに対応している。つまり、遮光パターン４６０により定義された複数のセル領域４６２のそれぞれは、カラーフィルタアレイ４５０の複数のカラーフィルタパターンに対応している。また、当業者であれば、実際の設計と使用需要に応じてカラーフィルタアレイにおけるカラーフィルタパターンの配置を調整できることを理解されたい。そのため、本発明のカラーフィルタアレイ４５０は、図６に示すものに限定されない。
【００６２】
ダミー遮光パターン４７０は、遮光パターン４６０により定義された各セル領域４６２を更に複数のサブセル領域４７２に区切るように、遮光パターン４６０中に位置している。詳細には、図６に示すように、各セル領域４６２において、ダミー遮光パターン４７０は、セル領域４６２を３つのサブセル領域４７２に区切るストライプパターンである。つまり、第６実施例の透過型表示パネル１００において、画素アレイ１０４における１つの画素セル１４０は、１つのセル領域４６２に対応するとともに、３つのサブセル領域４７２に対応している。別の観点から見ると、遮光パターン４６０と遮光パターン２６０は同じ周期性パターンを有しているため、表示パネル２００における１つのセル領域２６２が透過型表示パネル１００における１つのセル領域４６２に対応するとともに、３つのサブセル領域４７２に対応している。図６に示すダミー遮光パターン４７０はセル領域４６２を３つのサブセル領域４７２に区切っているが、本発明はこれに限定されない。ダミー遮光パターン４７０はセル領域４６２を更に複数のサブセル領域４７２に区切ることができれば、本発明の範囲内に含まれる。
【００６３】
また、図６に示すように、各セル領域４６２において、ダミー遮光パターン４７０の延伸方向は、一部の遮光パターン４６４に平行している。言い換えれば、各セル領域４６２におけるダミー遮光パターン４７０の延伸方向が走査線１２０に平行している。
【００６４】
また、ダミー遮光パターン４７０の膜層は、遮光パターン４６０の膜層と同層であり、且つ、ダミー遮光パターン４７０の材質は、遮光パターン４６０の材質と同じである。言い換えれば、第６実施例において、同一のリソグラフィ及びエッチング工程によって、同時に遮光パターン４６０及びダミー遮光パターン４７０を形成することができる。遮光パターン４６０は、表示不良の領域を遮蔽することができ、ダミー遮光パターン４７０は、周期性パターンに起因するモアレ現象を軽減することができる。
【００６５】
したがって、上述のように、追加のマスクを使用する必要がない場合には、本発明の第６実施例は、フィルタ層１０８中に配置されたダミー遮光パターン４７０によって、フィルタ層１０８における遮光パターン４６０及びフィルタ層２０８における遮光パターン２６０によって生じたモアレ現象を軽減することができるため、更に高い表示品質を提供することが可能となり、使用者の視覚的不快感を和らげることができる。
【００６６】
＜第７実施例＞
第７実施例の表示装置は、図１に示す表示装置１０００を用いて実現される。第７実施例の表示装置は、第６実施例の表示装置とほぼ同じである。主に異なる点としては、第６実施例においては、透過型表示パネル１００のフィルタ層１０８の細部構成が図６に示すフィルタ層の構成を用いるとともに、表示パネル２００のフィルタ層２０８の細部構成が図４に示すフィルタ層の構成を用いて実現したが、第７実施例においては、透過型表示パネル１００のフィルタ層１０８の細部構成が図４に示すフィルタ層の構成を用いるとともに、表示パネル２００のフィルタ層２０８の細部構成が図６に示すフィルタ層の構成を用いて実現したことである。図１における表示装置１０００の各部材の材料、効果及びその関連説明と、図４，図６における画素アレイの各部材の材料、効果及びその関連説明については、上述の第１，第６実施例において詳しく説明したので、ここでの説明を省略する。
【００６７】
このようにすれば、第７実施例において、表示パネル２００のフィルタ層２０８中にはダミー遮光パターン４７０が配置されているため、表示パネル２００の画素アレイ２０４中の１つの画素セル１４０は、１つのセル領域４６２に対応するとともに、３つのサブセル領域４７２に対応している。別の観点から見ると、遮光パターン４６０と遮光パターン２６０は同じ周期性パターンを有しているため、透過型表示パネル１００における１つのセル領域２６２が表示パネル２００における１つのセル領域４６２に対応するとともに、３つのサブセル領域４７２に対応している。
【００６８】
上述により、第７実施例において、フィルタ層２０８中にダミー遮光パターン４７０を配置することによって、フィルタ層２０８における遮光パターン４６０及びフィルタ層１０８における遮光パターン２６０に起因するモアレ現象を軽減することができるため、更に高い表示品質を提供することが可能となり、使用者の視覚的不快感を和らげることができる。
【００６９】
＜第８実施例＞
第８実施例の表示装置は、図１に示す表示装置１０００を用いて実現される。第８実施例の表示装置は、第１実施例の表示装置とほぼ同じである。主に異なる点としては、第１実施例においては、透過型表示パネル１００のフィルタ層１０８の細部構成が図３に示すフィルタ層の構成を用いるとともに、表示パネル２００のフィルタ層２０８の細部構成が図４に示すフィルタ層の構成を用いて実現したが、第８実施例においては、透過型表示パネル１００のフィルタ層１０８の細部構成が図７に示すフィルタ層の構成を用いるとともに、表示パネル２００のフィルタ層２０８の細部構成が図４に示すフィルタ層の構成を用いて実現したことである。図１における表示装置１０００の各部材の材料、効果及びその関連説明と、図４における画素アレイの各部材の材料、効果及びその関連説明については、上述の第１実施例において詳しく説明したので、ここでの説明を省略する。
【００７０】
図７は、本発明の一実施例によるフィルタ層の概略平面図である。図７のフィルタ層は、カラーフィルタアレイ５５０、遮光パターン５６０及びダミー遮光パターン５７０を含んでいる。
【００７１】
図１、図２及び図７に示すように、遮光パターン５６０は、第２基板１１０上に画素セル１４０に対応する複数のセル領域５６２を定義している。つまり、第８実施例においては、遮光パターン５６０により定義されたセル領域５６２の数と、図４における遮光パターン２６０により定義されたセル領域２６２の数とが一致している。
【００７２】
さらに、図４及び図７に示すように、遮光パターン５６０は、一部の遮光パターン２６４に対応して同様にＹ方向に沿って配列された一部の遮光パターン５６４と、一部の遮光パターン２６６に対応して同様にＸ方向に沿って配列された一部の遮光パターン５６６とを有している。空間において、一部の遮光パターン５６４は、走査線１２０と完全にまたは部分的に重なっていてもよく、一部の遮光パターン５６６は、データ線１３０と完全にまたは部分的に重なっていてもよい。このようにすれば、画素アレイ２０４、画素アレイ１０４、遮光パターン５６０及び遮光パターン２６０は、同じ周期性パターンを有している。遮光パターン５６０の材質は、例えば、黒色樹脂または遮光金属であり、且つ低反射材料で構成されることが好ましい。また、遮光パターン５６０は、カラーフィルタアレイ５５０に対応して配置されており、詳細な説明については後述する。
【００７３】
一般的には、走査線１２０とデータ線１３０の位置は、画素アレイ１０４における不透光領域にある。そのため、遮光パターン５６０は、画像表示品質に悪影響を与えないように、一般的に走査線１２０とデータ線１３０に対応して配置されている。
【００７４】
カラーフィルタアレイ５５０は、画素アレイ１０４に対応して配置されている。一般的には、カラーフィルタアレイ５５０は、複数のカラーフィルタパターンを含んでもよく、例えば、赤フィルタパターンＲ、青フィルタパターンＢ、緑フィルタパターンＧ、他のフィルタパターン、または無色パターンＷを含んでもよい。詳細には、図２及び図７に示すように、カラーフィルタアレイ５５０の複数のカラーフィルタパターンのそれぞれは、画素セル１４０のうち１つに対応している。つまり、遮光パターン５６０により定義された複数のセル領域５６２のそれぞれは、カラーフィルタアレイ５５０の複数のカラーフィルタパターンに対応している。また、当業者であれば、実際の設計と使用需要に応じてカラーフィルタアレイにおけるカラーフィルタパターンの配置を調整できることを理解されたい。そのため、本発明のカラーフィルタアレイ５５０は、図７に示すものに限定されない。
【００７５】
ダミー遮光パターン５７０は、遮光パターン５６０により定義された各セル領域５６２を更に複数のサブセル領域５７２に区切るように、遮光パターン５６０中に位置している。詳細には、図７に示すように、各セル領域５６２において、ダミー遮光パターン５７０は、セル領域５６２を４つのサブセル領域５７２に区切るストライプパターンである。つまり、第８実施例の透過型表示パネル１００において、画素アレイ１０４における１つの画素セル１４０は、１つのセル領域５６２に対応するとともに、４つのサブセル領域５７２に対応している。別の観点から見ると、遮光パターン５６０と遮光パターン２６０は同じ周期性パターンを有しているため、表示パネル２００における１つのセル領域２６２が透過型表示パネル１００における１つのセル領域５６２に対応するとともに、４つのサブセル領域５７２に対応している。図７に示すダミー遮光パターン５７０はセル領域５６２を４つのサブセル領域５７２に区切っているが、本発明はこれに限定されない。ダミー遮光パターン５７０はセル領域５６２を更に複数のサブセル領域５７２に区切ることができれば、本発明の範囲内に含まれる。
【００７６】
また、図７に示すように、各セル領域５６２において、ダミー遮光パターン５７０の延伸方向は、一部の遮光パターン５６４に平行しており、且つ一部の遮光パターン５６６に平行している。言い換えれば、各セル領域５６２におけるダミー遮光パターン５７０の延伸方向は、走査線１２０に平行しており、且つデータ線１３０に平行している。
【００７７】
また、ダミー遮光パターン５７０の膜層は、遮光パターン５６０の膜層と同層であり、且つ、ダミー遮光パターン５７０の材質は、遮光パターン５６０の材質と同じである。言い換えれば、第８実施例において、同一のリソグラフィ及びエッチング工程によって、同時に遮光パターン５６０及びダミー遮光パターン５７０を形成することができる。遮光パターン５６０は、表示不良の領域を遮蔽することができ、ダミー遮光パターン５７０は、周期性パターンに起因するモアレ現象を軽減することができる。
【００７８】
したがって、上述のように、追加のマスクを使用する必要がない場合には、本発明の第８実施例は、フィルタ層１０８中に配置されたダミー遮光パターン５７０によって、フィルタ層１０８における遮光パターン５６０及びフィルタ層２０８における遮光パターン２６０によって生じたモアレ現象を軽減することができるため、更に高い表示品質を提供することが可能となり、使用者の視覚的不快感を和らげることができる。
【００７９】
＜第９実施例＞
第９実施例の表示装置は、図１に示す表示装置１０００を用いて実現される。第９実施例の表示装置は、第８実施例の表示装置とほぼ同じである。主に異なる点としては、第８実施例においては、透過型表示パネル１００のフィルタ層１０８の細部構成が図７に示すフィルタ層の構成を用いるとともに、表示パネル２００のフィルタ層２０８の細部構成が図４に示すフィルタ層の構成を用いて実現したが、第９実施例においては、透過型表示パネル１００のフィルタ層１０８の細部構成が図４に示すフィルタ層の構成を用いるとともに、表示パネル２００のフィルタ層２０８の細部構成が図７に示すフィルタ層の構成を用いて実現したことである。図１における表示装置１０００の各部材の材料、効果及びその関連説明と、図４，図７における画素アレイの各部材の材料、効果及びその関連説明については、上述の第１，第８実施例において詳しく説明したので、ここでの説明を省略する。
【００８０】
このようにすれば、第９実施例において、表示パネル２００のフィルタ層２０８中にはダミー遮光パターン５７０が配置されているため、表示パネル２００の画素アレイ２０４中の１つの画素セル１４０は、１つのセル領域５６２に対応するとともに、４つのサブセル領域５７２に対応している。別の観点から見ると、遮光パターン５６０と遮光パターン２６０は同じ周期性パターンを有しているため、透過型表示パネル１００における１つのセル領域２６２が表示パネル２００における１つのセル領域５６２に対応するとともに、４つのサブセル領域５７２に対応している。
【００８１】
上述により、第９実施例において、フィルタ層２０８中にダミー遮光パターン５７０を配置することによって、フィルタ層２０８における遮光パターン５６０及びフィルタ層１０８における遮光パターン２６０に起因するモアレ現象を軽減することができるため、更に高い表示品質を提供することが可能となり、使用者の視覚的不快感を和らげることができる。
【００８２】
＜第１０実施例＞
第１０実施例の表示装置は、図１に示す表示装置１０００を用いて実現される。第１０実施例の表示装置は、第１実施例の表示装置とほぼ同じである。主に異なる点としては、第１実施例においては、透過型表示パネル１００のフィルタ層１０８の細部構成が図３に示すフィルタ層の構成を用いるとともに、表示パネル２００のフィルタ層２０８の細部構成が図４に示すフィルタ層の構成を用いて実現したが、第１０実施例においては、透過型表示パネル１００のフィルタ層１０８の細部構成が図８に示すフィルタ層の構成を用いるとともに、表示パネル２００のフィルタ層２０８の細部構成が図４に示すフィルタ層の構成を用いて実現したことである。図１における表示装置１０００の各部材の材料、効果及びその関連説明と、図４における画素アレイの各部材の材料、効果及びその関連説明については、上述の第１実施例において詳しく説明したので、ここでの説明を省略する。
【００８３】
図８は、本発明の一実施例によるフィルタ層の概略平面図である。図８のフィルタ層は、カラーフィルタアレイ６５０、遮光パターン６６０及びダミー遮光パターン６７０を含んでいる。
【００８４】
図１、図２及び図８に示すように、遮光パターン６６０は、第２基板１１０上に画素セル１４０に対応する複数のセル領域６６２を定義している。つまり、第１０実施例においては、遮光パターン６６０により定義されたセル領域６６２の数と、図４における遮光パターン２６０により定義されたセル領域２６２の数とが一致している。
【００８５】
さらに、図４及び図８に示すように、遮光パターン６６０は、一部の遮光パターン２６４に対応して同様にＹ方向に沿って配列された一部の遮光パターン６６４と、一部の遮光パターン２６６に対応して同様にＸ方向に沿って配列された一部の遮光パターン６６６とを有している。空間において、一部の遮光パターン６６４は、走査線１２０と完全にまたは部分的に重なっていてもよく、一部の遮光パターン６６６は、データ線１３０と完全にまたは部分的に重なっていてもよい。このようにすれば、画素アレイ２０４、画素アレイ１０４、遮光パターン６６０及び遮光パターン２６０は、同じ周期性パターンを有している。遮光パターン６６０の材質は、例えば、黒色樹脂または遮光金属であり、且つ低反射材料で構成されることが好ましい。また、遮光パターン６６０は、カラーフィルタアレイ６５０に対応して配置されており、詳細な説明については後述する。
【００８６】
一般的には、走査線１２０とデータ線１３０の位置は、画素アレイ１０４における不透光領域にある。そのため、遮光パターン６６０は、画像表示品質に悪影響を与えないように、一般的に走査線１２０とデータ線１３０に対応して配置されている。
【００８７】
カラーフィルタアレイ６５０は、画素アレイ１０４に対応して配置されている。一般的には、カラーフィルタアレイ６５０は、複数のカラーフィルタパターンを含んでもよく、例えば、赤フィルタパターンＲ、青フィルタパターンＢ、緑フィルタパターンＧ、他のフィルタパターン、または無色パターンＷを含んでもよい。詳細には、図２及び図８に示すように、カラーフィルタアレイ６５０の複数のカラーフィルタパターンのそれぞれは、画素セル１４０のうち１つに対応している。つまり、遮光パターン６６０により定義された複数のセル領域６６２のそれぞれは、カラーフィルタアレイ６５０の複数のカラーフィルタパターンに対応している。また、当業者であれば、実際の設計と使用需要に応じてカラーフィルタアレイにおけるカラーフィルタパターンの配置を調整できることを理解されたい。そのため、本発明のカラーフィルタアレイ６５０は、図８に示すものに限定されない。
【００８８】
ダミー遮光パターン６７０は、遮光パターン６６０により定義された各セル領域６６２を更に複数のサブセル領域６７２に区切るように、遮光パターン６６０中に位置している。詳細には、図８に示すように、各セル領域６６２において、ダミー遮光パターン６７０は、セル領域６６２を３つのサブセル領域６７２に区切るストライプパターンである。つまり、第１０実施例の透過型表示パネル１００において、画素アレイ１０４における１つの画素セル１４０は、１つのセル領域６６２に対応するとともに、３つのサブセル領域６７２に対応している。別の観点から見ると、遮光パターン６６０と遮光パターン２６０は同じ周期性パターンを有しているため、表示パネル２００における１つのセル領域２６２が透過型表示パネル１００における１つのセル領域６６２に対応するとともに、３つのサブセル領域６７２に対応している。図８に示すダミー遮光パターン６７０は、セル領域６６２を３つのサブセル領域６７２に区切っているが、本発明はこれに限定されない。ダミー遮光パターン６７０は、セル領域６６２を更に複数のサブセル領域６７２に区切ることができれば、本発明の範囲内に含まれる。
【００８９】
また、各セル領域６６２において、ダミー遮光パターン６７０と遮光パターン６６０との間に角度θ２を有しており、角度θ２は、０度、９０度または１８０度に等しくないようにしている。詳細には、図８に示すように、角度θ２は、ダミー遮光パターン６７０と一部の遮光パターン６６４との間に形成された鋭角である。しかし、本発明はこれに限定されない。例えば、角度θ２は、ダミー遮光パターン６７０と一部の遮光パターン６６６との間に形成された任意の角度（未図示）であってもよい。別の観点から言えば、ダミー遮光パターン６７０の延伸方向は、Ｘ方向またはＹ方向に対して角度θ２を形成することができる。また、図８には角度θ２が４５度に等しい場合の構成を示しているが、本発明はこれに限定されない。ダミー遮光パターン６７０と遮光パターン６６０との間に角度が０度、９０度または１８０度に等しくない構成であれば、本発明の範囲内に含まれる。
【００９０】
また、ダミー遮光パターン６７０の膜層は、遮光パターン６６０の膜層と同層であり、且つ、ダミー遮光パターン６７０の材質は、遮光パターン６６０の材質と同じである。言い換えれば、第１０実施例において、同一のリソグラフィ及びエッチング工程によって、同時に遮光パターン６６０及びダミー遮光パターン６７０を形成することができる。遮光パターン６６０は、表示不良の領域を遮蔽することができ、ダミー遮光パターン６７０は、周期性パターンに起因するモアレ現象を軽減することができる。
【００９１】
したがって、上述のように、追加のマスクを使用する必要がない場合には、本発明の第１０実施例は、フィルタ層１０８中に配置されたダミー遮光パターン６７０によって、フィルタ層１０８における遮光パターン６６０及びフィルタ層２０８における遮光パターン２６０によって生じたモアレ現象を軽減することができるため、更に高い表示品質を提供することが可能となり、使用者の視覚的不快感を和らげることができる。
【００９２】
＜第１１実施例＞
第１１実施例の表示装置は、図１に示す表示装置１０００を用いて実現される。第１１実施例の表示装置は、第１０実施例の表示装置とほぼ同じである。主に異なる点としては、第１０実施例においては、透過型表示パネル１００のフィルタ層１０８の細部構成が図８に示すフィルタ層の構成を用いるとともに、表示パネル２００のフィルタ層２０８の細部構成が図４に示すフィルタ層の構成を用いて実現したが、第１１実施例においては、透過型表示パネル１００のフィルタ層１０８の細部構成が図４に示すフィルタ層の構成を用いるとともに、表示パネル２００のフィルタ層２０８の細部構成が図８に示すフィルタ層の構成を用いて実現したことである。図１における表示装置１０００の各部材の材料、効果及びその関連説明と、図４，図８における画素アレイの各部材の材料、効果及びその関連説明については、上述の第１，第１０実施例において詳しく説明したので、ここでの説明を省略する。
【００９３】
このようにすれば、第１１実施例において、表示パネル２００のフィルタ層２０８中にはダミー遮光パターン６７０が配置されているため、表示パネル２００の画素アレイ２０４中の１つの画素セル１４０は、１つのセル領域６６２に対応するとともに、３つのサブセル領域６７２に対応している。別の観点から見ると、遮光パターン６６０と遮光パターン２６０は同じ周期性パターンを有しているため、透過型表示パネル１００における１つのセル領域２６２が表示パネル２００における１つのセル領域６６２に対応するとともに、３つのサブセル領域６７２に対応している。
【００９４】
上述のように、第１１実施例においては、フィルタ層２０８中にダミー遮光パターン６７０を配置することによって、フィルタ層２０８における遮光パターン６６０及びフィルタ層１０８における遮光パターン２６０に起因するモアレ現象を軽減することができるため、更に高い表示品質を提供することが可能となり、使用者の視覚的不快感を和らげることができる。
【００９５】
以上をまとめると、上述した各実施例に記載された表示装置において、フィルタ層１０８またはフィルタ層２０８においてダミー遮光パターン（例えば、ダミー遮光パターン１７０，３７０，４７０，５７０，６７０）を配置すると、周期性パターンに起因するモアレ現象を軽減することができるため、更に高い表示品質を提供することが可能となり、使用者の視覚的不快感を和らげることができる。また、本発明は、追加のマスクを使用する必要がなく、上述した各実施例に記載された表示装置において、一致しない周期性パターンを得られることで、効果的に製造コストを削減し、製品の応用性を高めることができる。
【００９６】
以上、本発明の好適な実施例をあげ説明したが、本発明はこれらの実施例に限定されるものではない。当業者であれば、本発明の精神及び範囲を逸脱しない限り、多少の変動や潤色を加えることができる。従って、本発明の保護範囲は、特許請求の範囲の記載を基準とする。
【符号の説明】
【００９７】
１００  透過型表示パネル
１０２、２０２  第１基板
１０４、２０４  画素アレイ
１０６、２０６  表示媒体
１０８、２０８  フィルタ層
１１０、２１０  第２基板
１２０  走査線
１３０  データ線
１４０  画素セル
１４２  能動素子
１４４  画素電極
１５０、２５０、３５０、４５０、５５０、６５０  カラーフィルタアレイ
１６０、２６０、３６０、４６０、５６０、６６０  遮光パターン
１６２、２６２、３６２、４６２、５６２、６６２  セル領域
１６４、１６６、２６４、２６６、３６４、３６６、４６４、４６６、５６４、５６６、６６４、６６６  一部遮光パターン
１７０、３７０、４７０、５７０、６７０  ダミー遮光パターン
１７２  斜辺
２００  表示パネル
３００  バックライトモジュール
３７２、４７２、５７２、６７２  サブセル領域
４００  筐体
４０１  開口
４０２  光源
１０００  表示装置
Ｂ  青フィルタパターン
Ｄ  距離
Ｇ  緑フィルタパターン
Ｒ  赤フィルタパターン
Ｗ  無色パターン
Ｘ、Ｙ  方向
θ１、θ２  角度
【図１】
2015011339.tif 000003
【図２】
2015011339.tif 000004
【図３】
2015011339.tif 000005
【図４】
2015011339.tif 000006
【図５】
2015011339.tif 000007
【図６】
2015011339.tif 000008
【図７】
2015011339.tif 000009
【図８】
2015011339.tif 000010